(57)【要約】【課題】パネルの操作子対応穴に対する操作子ユニットの個々の位置を適切にし、操作時のキートップと操作子対応穴との接触を防止する。【解決手段】基板２０の上面２０ａにはスイッチ２５が配設される。金属で構成される操作パネル１０には、操作子対応穴１２が形成される。操作子ユニット３０において、キートップ３１が、ケース体３２に対してヒンジ部３５を介して上下方向に揺動自在に接続され、４つの壁部３２ａの上部には、平面視四角形で、切れ目なく繋がった枠部３９が形成され、枠部３９の内側に、四方において隙間Ｓを保ってキートップ３１が位置している。スイッチ２５は、キートップ３１の下部のアクチュエータ３６によって押圧されてオンする。枠部３９が操作子対応穴１２に嵌合されて、操作子ユニット３０の操作子対応穴１２に対する水平方向における位置が規制される。【選択図】図４
2008153169.tif 000002
【特許請求の範囲】
【請求項１】
複数の操作子ユニットと、
基板と、
前記複数の各操作子ユニットに対応する嵌合穴が設けられ、前記基板に対して平行に配設される操作パネルと、
被駆動部を有し、前記各操作子ユニットに対応して前記基板の前記操作パネル側の面に配設されたスイッチ部とを有し、
前記各操作子ユニットは、ケース部と、押離操作されて前記基板に平行でない方向に前記ケース部に対して揺動するキートップと、該キートップに連動して移動して対応するスイッチ部の前記被駆動部を押圧駆動するアクチュエータ部とを有し、
前記各操作子ユニットの前記ケース部には、前記操作パネルの対応する嵌合穴に嵌合されて前記基板に平行な方向における当該操作子ユニットの位置を規制する水平位置規制部が固定的に設けられたことを特徴とする電子機器のパネル操作子構造。
【請求項２】
前記キートップは、対応する前記嵌合穴内において、前記水平位置規制部よりも内側位置で揺動するように構成されたことを特徴とする請求項１記載の電子機器のパネル操作子構造。
【請求項３】
前記各操作子ユニットの前記ケース部には、前記操作パネルと前記基板との間に挟まれて前記基板に垂直な方向における当該操作子ユニットの位置を規制する鉛直位置規制部が固定的に設けられたことを特徴とする請求項１または２記載の電子機器のパネル操作子構造。
【請求項４】
前記各操作子ユニットにおいて、前記キートップは、前記ケース部に対してヒンジ部を介して接続されて揺動自在にされ、前記ヒンジ部は、前記操作パネルと前記基板との間に位置することを特徴とする請求項１〜３のいずれか１項に記載の電子機器のパネル操作子構造。
【請求項５】
前記各操作子ユニットに対応して前記基板の前記操作パネル側の面に配設された発光部を有し、前記各操作子ユニットにおいて、前記キートップには、前記対応する発光部の光を透過させる透光部が設けられると共に、前記ケース部には、前記基板の前記操作パネル側の面に当接すると共に対応する発光部及びスイッチ部を囲む遮光性の材料で構成された壁部が設けられたことを特徴とする請求項１〜４のいずれか１項に記載の電子機器のパネル操作子構造。
【発明の詳細な説明】
【技術分野】
【０００１】
本発明は、音響機器等の電子機器に適用されるパネル操作子構造に関する。
【背景技術】
【０００２】
従来、音響機器等の電子機器の操作パネルには、多数の操作子が設けられるものがあり、その種の操作パネルでは、例えば、各操作子の操作により、基板に設けられたスイッチがオンオフされて、各種機能が設定される。
【０００３】
図６は、従来の電子機器のパネル操作子構造の一例を示す分解斜視図である。図７は、従来のパネル操作子構造における操作子ユニットの縦断面図である。
【０００４】
図６、図７に示すように、このパネル操作子構造においては、基板１２０上に、操作子ユニット１３０が固定され、さらに、操作パネル１１０が平行に重ねられるように配設される。なお、図示の簡略化のため操作子ユニット１３０は１つしか示されていないが、操作子ユニット１３０は多数備えられる。
【０００５】
基板１２０の４隅には、それぞれパネル取り付け用の、基準穴１２１、長穴１２４及びバカ穴１２２、１２３が形成されている。基板１２０には、操作子ユニット取り付け用穴１２６が３つと、操作子ユニット位置決め用穴１２７が２つ形成されている。また、基板１２０上には、スイッチ１２５が配設されている。
【０００６】
図７に示すように、操作子ユニット１３０において、ケース体１３２に対して、被押下操作部であるキートップ１３１がヒンジ部１３５で接続される。キートップ１３１の図７における下部には、アクチュエータ１３６が一体に形成されている。キートップ１３１は、押離操作されることで、ヒンジ部１３５を介してケース体１３２に対して図７の上下方向に揺動する。スイッチ１２５は、アクチュエータ１３６によって押圧されてオンする。
【０００７】
操作子ユニット１３０には、取り付け用の爪部１３３が３つと、位置決めピン１３４が２つ設けられている。位置決めピン１３４が基板１２０の操作子ユニット位置決め用穴１２７に挿入されると共に、爪部１３３が操作子ユニット取り付け用穴１２６に挿入係合されることで、操作子ユニット１３０が基板１２０の適切な位置に固定される。
【０００８】
操作パネル１１０の４隅には、スタッド１１１が設けられ、スタッド１１１には、セルフタッピング用の不図示の下穴が形成されている。基板１２０に操作子ユニット１３０が配設された状態で、操作パネル１１０のスタッド１１１を、対応する基準穴１２１、長穴１２４及びバカ穴１２２、１２３の位置に合わせて基板１２０に当接させる。そして、基板１２０の裏側からネジ１２８で螺着することで、操作パネル１１０が基板１２０に固定される。
【０００９】
操作パネル１１０には、操作子ユニット１３０に対応する操作子対応穴１１２が形成されている。操作パネル１１０が基板１２０に固定された状態では、通常、図７に示すように、操作子ユニット１３０のキートップ１３１が、操作子対応穴１１２内に適当なクリアランスを保って位置する状態となる。従って、操作子ユニット１３０と操作子対応穴１１２との位置関係が適切であれば、キートップ１３１が押離操作されて移動する際、操作子対応穴１１２に対して接触することがない。
【００１０】
かかる構成において、図６、図７に示す従来のパネル操作子構造においては、まず、操作パネル１１０と基板１２０との水平方向の位置関係に着目すると、この位置関係は、基準穴１２１とそれに対応するスタッド１１１の下穴との関係で決まる。
【００１１】
しかし、操作パネル１１０が金属で構成される場合は、スタッド１１１は、通常、溶接等で設けられることになり、スタッド１１１自身の溶接位置や形状のばらつき、及び下穴の位置形状のばらつきのため、操作パネル１１０と基板１２０との位置にずれが生じる。
【００１２】
一方、操作子ユニット１３０とそれに対応する操作パネル１１０の操作子対応穴１１２との水平方向の位置関係に着目すると、この位置関係は、まず、上記した操作パネル１１０と基板１２０との位置ずれに影響される。また、上述のように、操作子ユニット１３０は、基板１２０に固定されるので、操作子ユニット１３０の基板１２０に対する取り付け位置精度にも影響される。さらには、操作パネル１１０に形成される操作子対応穴１１２自身の位置精度にも影響される。
【００１３】
従って、操作子ユニット１３０と操作子対応穴１１２との位置が適切に対応しない場合が生じ、操作子対応穴１１２とキートップ１３１とのクリアランスが小さくなって、作動時に接触すると、こすれによる作動不良、操作感触の悪化、劣化や故障を引き起こすおそれがある。
【００１４】
特に、大型のミキサ装置等においては、ＥＭＩ対策、剛性保持、金型コスト削減等の理由から、操作パネルを樹脂でなく金属（鋼板等）で構成することが望まれる場合が多い。さらには、ミキサ装置等においては、配設される操作子ユニット１３０の数が多いため、操作パネル１１０自体も大きいものとなり、操作子ユニット１３０に対応する操作子対応穴１１２も多数となる。最も遠い操作子対応穴１１２間の距離が長くなることから、水平方向における位置の誤差も大きくなり、上記のような、操作パネル１１０と操作子対応穴１１２との位置が適切に対応しない傾向が一層強くなる。
【００１５】
そのため、従来、基板に位置決め穴を設けず、作業者が、目視により操作パネルと基板との適切な位置決めをしてから、操作パネルを基板に固定するという作業をすることもあり、煩雑である。
【００１６】
また、基板上における操作子ユニット取り付け用穴の近傍は、配線パターンを敷設できないパターン禁止領域となるため、配設すべき操作子ユニットが多数になると、パターン配線効率が悪くなる。
【００１７】
ところで、下記特許文献１に示されるように、操作パネルを樹脂で構成する場合は、操作パネル側に突起等の取付部を設けて、操作子ユニットを操作パネルに固定することも可能である。
【特許文献１】特開平０６−２６７３７３号公報
【発明の開示】
【発明が解決しようとする課題】
【００１８】
しかしながら、金属製の操作パネルにおいて、そのような取付部を溶接等で設けるとすると、精度が悪く、結局、上記したような操作子対応穴とキートップとのクリアランスを確保できない場合があるという問題が残ることになる。
【００１９】
本発明は上記従来技術の問題を解決するためになされたものであり、その目的は、パネルの操作子対応穴に対する操作子ユニットの個々の位置を適切にでき、操作時のキートップと操作子対応穴との接触を防止することができる電子機器のパネル操作子構造を提供することにある。
【課題を解決するための手段】
【００２０】
上記目的を達成するために本発明の請求項１の電子機器のパネル操作子構造は、複数の操作子ユニット（３０）と、基板（２０）と、前記複数の各操作子ユニットに対応する嵌合穴（１２）が設けられ、前記基板に対して平行に配設される操作パネル（１０）と、被駆動部（２５ｂ）を有し、前記各操作子ユニットに対応して前記基板の前記操作パネル側の面に配設されたスイッチ部（２５）とを有し、前記各操作子ユニットは、ケース部（３２）と、押離操作されて前記基板に平行でない方向に前記ケース部に対して揺動するキートップ（３１）と、該キートップに連動して移動して対応するスイッチ部の前記被駆動部を押圧駆動するアクチュエータ部（３６）とを有し、前記各操作子ユニットの前記ケース部には、前記操作パネルの対応する嵌合穴に嵌合されて前記基板に平行な方向における当該操作子ユニットの位置を規制する水平位置規制部（３９）が固定的に設けられたことを特徴とする。
【００２１】
好ましくは、前記キートップは、対応する前記嵌合穴内において、前記水平位置規制部よりも内側位置で揺動するように構成される（請求項２）。
【００２２】
好ましくは、前記各操作子ユニットの前記ケース部には、前記操作パネルと前記基板との間に挟まれて前記基板に垂直な方向における当該操作子ユニットの位置を規制する鉛直位置規制部（３２ａａ、３２ａｂ）が固定的に設けられる（請求項３）。
【００２３】
好ましくは、前記各操作子ユニットにおいて、前記キートップは、前記ケース部に対してヒンジ部（３５）を介して接続されて揺動自在にされ、前記ヒンジ部は、前記操作パネルと前記基板との間に位置する（請求項４）。
【００２４】
好ましくは、前記各操作子ユニットに対応して前記基板の前記操作パネル側の面に配設された発光部（２９）を有し、前記各操作子ユニットにおいて、前記キートップには、前記対応する発光部の光を透過させる透光部（３７）が設けられると共に、前記ケース部には、前記基板の前記操作パネル側の面に当接すると共に対応する発光部及びスイッチ部を囲む遮光性の材料で構成された壁部（３２ａ）が設けられる（請求項５）。
【００２５】
なお、上記括弧内の符号は例示である。
【発明の効果】
【００２６】
本発明の請求項１によれば、パネルの操作子対応穴に対する操作子ユニットの個々の位置を適切にでき、操作時のキートップと操作子対応穴との接触を防止することができる。
【００２７】
請求項２によれば、操作時のキートップと操作子対応穴との接触を確実に防止することができる。
【００２８】
請求項３によれば、基板に操作子用の取り付け穴を設けなくてもよいので、パターン禁止領域が少なくて済む。
【００２９】
請求項４によれば、水平位置規制部とキートップとのクリアランスを一定に全周に亘って形成するのが可能となるので、外観を向上させることができる。
【００３０】
請求項５によれば、外方への光漏れを防止して、操作子ユニットの個々の押下操作状態を光により明確に視認することができる。
【発明を実施するための最良の形態】
【００３１】
以下、本発明の実施の形態を図面を参照して説明する。
【００３２】
図１は、本発明の一実施の形態に係るパネル操作子構造の平面図である。このパネル操作子構造は、ミキサ装置その他の音響装置をはじめとする各種電子機器に適用可能であり、適用される電子機器は問わない。
【００３３】
図２は、本パネル操作子構造の分解斜視図である。本パネル操作子構造においては、基板２０上に操作パネル１０が平行に重ねられるように配設され、基板２０と操作パネル１０との間に、操作子ユニット３０が配設される。なお、操作子ユニット３０は２つしか示されていないが、多数備えられていてもよい。また、図２に示す操作子ユニット３０は、２つが連結状態のまま配設されるが、後述するように、分離して、個々に配設されるようにしてもよい。
【００３４】
図３は、１つの操作子ユニット３０の斜視図である。図４は、図１のＡ−Ａ線に沿う断面図である。以降、説明の便宜のため、基板２０に対して操作パネル１０側が上側、すなわち、図４の上下方向を本パネル操作子構造の上下方向とする。ただし、電子機器において適用される際には、操作パネル１０が上側になるとは限らず、横、あるいは下側にもなり得る。
【００３５】
図２に示すように、基板２０の４隅には、パネル取り付け用穴２２が形成される。このパネル取り付け用穴２２は、いずれもバカ穴でよい。図４に示すように、基板２０の上面２０ａには、各操作子ユニット３０に対応するスイッチ２５及びＬＥＤ２９が配設される。スイッチ２５の端子２５ａが、基板２０の裏面２０ｂに露出している（図２、図４参照）。スイッチ２５は、押圧されて可動する被駆動部２５ｂを有する。スイッチ２５及びＬＥＤ２９の配設手法は問わず、操作パネル１０の配設前に基板２０に固定できればよい。
【００３６】
操作パネル１０は、鋼板等の金属で構成される。図２に示すように、操作パネル１０の裏面１０ａの４隅には、スタッド１１が溶接等によって設けられ、各スタッド１１には、セルフタッピング用の下穴１１ａが形成されている。操作パネル１０には、操作子ユニット３０に対応する操作子対応穴１２が形成されている。
【００３７】
操作子ユニット３０は、樹脂で一体成形され、図２に示すように、同様の構成のもの２つが各々の連結部３８で連結された状態で一体に構成される。連結部３８間には肉薄の溝部３８ａが形成されている。各操作子ユニット３０は、この溝部３８ａで折って切断することで分離することができ、切断部３８ａａで切断されて１個になったものが、図３に示されている。
【００３８】
なお、このような２連タイプの操作子ユニット３０は一例であり、３個以上が一列に連結される多数連結構成であってもよい。あるいは、複数の連結部３８に加えて、連結部３８と同様の連結部により、図１における上下方向にも操作子ユニット３０が複数連結されるように構成し、複数行、複数列のマトリクス状に連結された多数連結構成としてもよい。多数連結構成にした操作子ユニット３０は、所定数あるいは単体にしてから基板２０乃至操作パネル１０に個々に配設されるように構成してもよい。
【００３９】
図４に示すように、１つの操作子ユニット３０は、ケース体３２に対して、押下操作されるキートップ３１がヒンジ部３５で接続されて構成される。ケース体３２は、平面視四角形を形成する４つの壁部３２ａを有し、そのうち１つの壁部３２ａ（特に区別するときは「壁部３２ａ１」と記す）の内側に、ヒンジ部３５を介してキートップ３１が上下方向に揺動自在に接続されている。操作子ユニット３０及び操作パネル１０の組み付け後において、ヒンジ部３５は、基板２０と操作パネル１０の間に位置し（図４参照）、図１に示すように、上方からは、キートップ３１と枠部３９（後述）との隙間Ｓを介して僅かに見えるのみである。
【００４０】
図４に示すように、キートップ３１の下部には、アクチュエータ３６が一体に形成されている。キートップ３１は、押離操作されることで、ヒンジ部３５を介してケース体３２に対して上下方向に揺動し、アクチュエータ３６も、キートップ３１と一体に上下揺動する。非押下状態において、アクチュエータ３６の下端はスイッチ２５の被駆動部２５ｂに近接しており、キートップ３１が押下操作されると、被駆動部２５ｂがアクチュエータ３６によって押圧されてスイッチ２５がオンする。スイッチ２５は、例えば、所定の機能を設定するために用いられるが、アクチュエータ３６によって駆動されてオンオフ等の動作をする構成であれば、その構成や機能は問わない。
【００４１】
キートップ３１において、アクチュエータ３６よりも壁部３２ａ１寄りには、透光部３７が設けられる。透光部３７は透明な樹脂で構成される。一方、操作子ユニット３０のうち透光部３７以外の部分は、遮光性の樹脂で構成される。すなわち、操作子ユニット３０は、透明な樹脂と不透明な樹脂との２種類の樹脂による２色成形で一体成形される。
【００４２】
透光部３７の上端は、キートップ３１の上面と面一になって露出している（図１、図３参照）。操作子ユニット３０の操作パネル１０及び基板２０への組み付け後においては、透光部３７の下端が、ＬＥＤ２９に近接している。本電子機器の使用時にはＬＥＤ２９は常時発光する。あるいは、キートップ３１の押下に伴うスイッチ２５のオン／オフに応じて発光／消光するようにしてもよい。ＬＥＤ２９の光は、透光部３７を通じてユーザに視認される。
【００４３】
操作子ユニット３０の操作パネル１０及び基板２０への組み付け後においては、４つの壁部３２ａの下端３２ａｂは、いずれも基板２０の上面２０ａに当接し、且つ、スイッチ２５及びＬＥＤ２９を囲んでいる。壁部３２ａは不透明であるから、ＬＥＤ２９の光が壁部３２ａで遮光され、操作子ユニット３０の外方へ漏れることがなく、当該操作子ユニット３０の透光部３７の上端からのみ視認される。
【００４４】
４つの壁部３２ａの上部には、段差が形成されている。すなわち、壁部３２ａの上部には、壁部３２ａの上端３２ａａと、上端３２ａａよりも内側位置から上方に延出した突条状の枠部３９とが形成されている。図１に示すように、枠部３９は、平面視四角形で、切れ目なく繋がっている。そして、枠部３９の内側に、四方において一定幅の隙間Ｓを保ってキートップ３１が位置している。
【００４５】
操作子ユニット３０の操作パネル１０及び基板２０への組み付け後においては、枠部３９は、操作パネル１０の対応する操作子対応穴１２に嵌合されている。すなわち、枠部３９の外側面３９ａは、全周に亘って操作子対応穴１２の内側に係合し、これにより、操作子ユニット３０の操作子対応穴１２に対する水平方向（操作パネル１０及び基板２０に平行な方向）における位置が規制される。従って、枠部３９（の外側面３９ａ）と操作子対応穴１２とが協働して、水平方向における操作子ユニット３０の位置を規制する「水平位置規制部」の役割を果たす。
【００４６】
また、壁部３２ａの上端３２ａａ、下端３２ａｂが、それぞれ、操作パネル１０の裏面１０ａ、基板２０の上面２０ａに当接している。これにより、操作子ユニット３０の基板２０及び操作パネル１０に対する上下方向の位置も規制される。従って、図４に示す、操作子ユニット３０の操作パネル１０及び基板２０への組み付け後においては、操作子ユニット３０は、ネジ止め等の別途の固定手段を必要とすることなく、適切な位置に固定される。
【００４７】
壁部３２ａの上端３２ａａ及び下端３２ａｂと、操作パネル１０の裏面１０ａ及び基板２０の上面２０ａとが協働して、基板２０に垂直な方向（上下方向）における操作子ユニット３０の位置を規制する「鉛直位置規制部」の役割を果たす。
【００４８】
操作子ユニット３０及び操作パネル１０は、次のようにして基板２０に組み付けられる。
【００４９】
まず、基板２０に、すべてのスイッチ２５及びＬＥＤ２９を配設固定しておく。以降、図２を天地逆にして見ると理解容易である。操作パネル１０を裏返し、裏面１０ａ側から、操作子ユニット３０の枠部３９を、対応する操作子対応穴１２に嵌合する。このとき、壁部３２ａの上端３２ａａが操作パネル１０の裏面１０ａに当接するので、操作パネル１０が少々傾いても操作子ユニット３０は動かず、その後の組み付け作業がやりやすい。
【００５０】
次に、操作パネル１０の裏面１０ａ側に、基板２０の上面２０ａ側を重ねるように被せ、パネル取り付け用穴２２とスタッド１１の下穴１１ａとの位置を合わせる。そして、基板２０の裏面２０ｂ側からネジ２８で螺着する。これにより、操作パネル１０が基板２０に平行な状態で固定される。それと同時に、操作子ユニット３０の４つの壁部３２ａの下端３２ａｂが、基板２０の上面２０ａに当接すると共に、４つの壁部３２ａが対応するスイッチ２５及びＬＥＤ２９を囲む状態となる。
【００５１】
ここで、壁部３２ａの上端３２ａａから下端３２ａｂまでの寸法は、スタッド１１の長さ（裏面１０ａからの突出長さ）と同じか僅かに短く設定されている。従って、操作パネル１０と基板２０との間隔は、実質的には、スタッド１１の長さで規定される。
【００５２】
かかる構成において、操作子ユニット３０のキートップ３１は、押離操作されると、枠部３９内で上下方向に揺動するので、操作子対応穴１２に対して接触することがない。
【００５３】
本実施の形態によれば、操作子ユニット３０の枠部３９が操作パネル１０の操作子対応穴１２に嵌合されて、基板２０に平行な方向における操作子ユニット３０の位置が規制されるので、操作パネル１０と基板２０との位置ずれや操作子対応穴１２自身の位置精度に影響されることない。特に、操作パネル１０が金属製であり、且つ操作子対応穴１２が多数でそれぞれの位置精度があまり高くなかったとしても、操作子ユニット３０（のケース体３２）と操作子対応穴１２との位置ずれは生じない。
【００５４】
よって、操作子対応穴１２に対する操作子ユニット３０の個々の位置を適切にすることができ、操作時のキートップ３１と操作子対応穴１２との接触を防止することができる。しかも、キートップ３１と枠部３９とに隙間Ｓが設けられているので、キートップ３１と操作子対応穴１２との接触防止が確実である。その結果、操作子対応穴１２とのこすれによる操作子ユニット３０の作動不良、操作感触の悪化、劣化や故障を抑制することができる。特に、操作パネル１０が金属製であり、操作子対応穴１２内に少々のバリが生じていたとしても、キートップ３１の動作自体には影響が及ばない。
【００５５】
また、操作子ユニット３０は、操作パネル１０と基板２０とに挟まれた状態で、上下方向の位置が規制されると共に、組み付け状態となる。これにより、操作子ユニット３０の組み付け作業が容易になるだけでなく、基板２０に、操作子ユニット３０を取り付け固定するための穴等を設けなくてもよいので、パターン禁止領域が少なくて済み、パターン配線効率が良くなる。
【００５６】
また、ヒンジ部３５は、基板２０と操作パネル１０との間に位置することから、枠部３９とキートップ３１との一定な隙間Ｓを全周に亘って形成するのが可能となるので、外観を向上させることができる。しかも、操作子ユニット３０を薄型にするのが容易となり、操作パネル１０からの突出量を小さくすることができる。本実施の形態では、キートップ３１が操作パネル１０から少し突出しているが、操作パネル１０の表面と面一または表面より下げる設計も可能である。それだけでなく、ヒンジ部３５の位置を操作パネル１０より低くした結果、ヒンジ部３５を枠部３９の上端から延設しなくて済み、枠部３９を全周に亘って切れ目なく設けることが可能になっている。これにより、枠部３９が全周で操作子対応穴１２に嵌合され、操作子ユニット３０の水平方向の位置規制機能が適切に果たされる。
【００５７】
さらに、壁部３２ａがＬＥＤ２９を四方から完全に覆うと共に、壁部３２ａが遮光性材料樹脂で構成されるので、外方への光漏れを防止して、操作子ユニット３０の個々の押下操作状態を光により明確に視認することができる。
【００５８】
なお、本実施の形態では、操作子ユニット３０において、キートップ３１は、基板２０に垂直な方向に揺動するものであったが、これに限られず、基板２０に対して垂直方向の成分を含む方向に揺動する構成であれば、本発明を適用可能である。
【００５９】
また、図５（ａ）に、変形例の操作子ユニットの平面図を示すように、キートップ３１は、キートップ３１を挟んだ２つのヒンジ部３５でケース体３２に接続され、平行に上下揺動するように構成してもよい。あるいは、図示はしないが、キートップ３１が適当な間隔に設けられる３つ以上、または、全周に亘って設けられたヒンジ部でケース体３２に接続されていてもよい。
【００６０】
なお、本実施の形態では、操作子ユニット３０の枠部３９は全周に亘って切れ目なく繋がった構成であったが、ケース体３２の水平方向の位置を規制できればよいので、枠部３９の一部に切れ目があってもよい。あるいは、枠のような形状を呈していなくてもよく、操作子対応穴１２に係合してケース体３２の四方への移動を規制する複数の部分を、ケース体３２に対して固定的に設けてもよい。また、枠部３９の形状は、平面視四角形や角形に限られず、円形、楕円形状であってもよい。円形等である場合は、ケース体３２の水平方向の移動を規制する部分は、離間した少なくとも３カ所に設ければよい。
【００６１】
なお、一定な隙間Ｓを全周に亘って形成する効果を除けば、図５（ｂ）に平面図で示すような変形例の操作子ユニットを採用してもよい。すなわち、ヒンジ部３５を、ケース体３２において、壁部３２ａ１の上端３２ａａから延設し、上端３２ａａと同じ高さまたはそれより高い位置に設ける。この構成では、ヒンジ部３５が邪魔をして、枠部３９が一部切れる。しかし、壁部３２ａ１側においても、枠部３９の一部３９ｂを残すことができるため、四方へのケース体３２の位置規制に問題はない。
【００６２】
なお、本実施の形態において、操作子ユニット３０のうち、キートップ３１を、エラストマで構成してもよい。図５（ａ）の構成のように、キートップ３１が平行に上下揺動する構成においては、キートップ３１及びヒンジ部３５をエラストマで構成してもよい。これらの構成であっても、キートップ３１と操作子対応穴１２とのこすれの心配がないので、操作感触を向上させる効果が簡単に得られる。
【図面の簡単な説明】
【００６３】
【図１】本発明の一実施の形態に係るパネル操作子構造の平面図である。
【図２】本パネル操作子構造の分解斜視図である。
【図３】１つの操作子ユニットの斜視図である。
【図４】図１のＡ−Ａ線に沿う断面図である。
【図５】操作子ユニットの変形例を示す平面図である。
【図６】従来の電子機器のパネル操作子構造の一例を示す分解斜視図である。
【図７】従来のパネル操作子構造における操作子ユニットの縦断面図である。
【符号の説明】
【００６４】
１０  操作パネル、  １２  操作子対応穴（嵌合穴）、  ２０  基板、  ２５  スイッチ（スイッチ部）、  ２５ｂ  被駆動部、  ２９  ＬＥＤ（発光部）、  ３０  操作子ユニット、  ３１  キートップ、  ３６  アクチュエータ（アクチュエータ部）、  ３９  枠部（水平位置規制部）、  ３２  ケース体（ケース部）、  ３２ａ  壁部、  ３２ａａ  上端（鉛直位置規制部の一部）、  ３２ａｂ  下端（鉛直位置規制部の一部）、  ３５  ヒンジ部、  ３７  透光部
【図１】
2008153169.tif 000003
【図２】
2008153169.tif 000004
【図３】
2008153169.tif 000005
【図４】
2008153169.tif 000006
【図５】
2008153169.tif 000007
【図６】
2008153169.tif 000008
【図７】
2008153169.tif 000009